(57)【要約】【課題】支柱のフランジ孔又はポケットのうち足場板から遠い外側のフランジ孔又はポケットを利用して、足場の対向する支柱間に取り付ける先行手摺りを提供する。【解決手段】足場又は支保工の仮設にあたり、対向する支柱１，１間に取り付ける先行手摺りであって、水平材８と、互いに交差する一対の斜材９，９とからなり、水平材８と斜材９との各枢着端部には支柱１のフランジ３の孔２ａ〜２ｄに係止可能な係止部材１０を設け、各斜材９の他端部には支柱１又はそのフランジ３に固定可能な固定金具１１を設け、係止部材１０は、仮設される足場板６のレベルより上方にあるフランジ３に形成された複数の孔２ａ〜２ｄのうち足場板６から遠い外側の孔２ｃ又は２ｄに係止され、固定金具１１は、仮設される足場板６と同レベルにあるフランジ３の外側孔２ｃ又は２ｄに挿通固定され又は足場板６と同レベルのフランジ３より下方又は上方で支柱１に固定される。【選択図】図２
2012132157.tif 000002
【特許請求の範囲】
【請求項１】
足場又は支保工の仮設にあたって、対向する支柱間に取り付ける先行手摺りであって、水平材と、水平材の両端部に夫々一端部が枢着され、互いに交差する一対の斜材とからなり、水平材と斜材との各枢着端部には支柱のフランジの孔に係止可能な係止部材を設け、各斜材の他端部には支柱又はそのフランジに固定可能な固定金具を設け、係止部材は、仮設される足場板のレベルより上方にあるフランジに形成された複数の孔のうち足場板から遠い外側の孔に係止され、固定金具は、仮設される足場板と同レベルにあるフランジの前記外側の孔に挿通固定されるか、又は前記足場板と同レベルのフランジより下方又は上方で支柱に固定されるようになっている先行手摺り。
【請求項２】
前記足場板と同レベルにあるフランジを利用して朝顔装置などの取付金具部材が取り付けられる場合、各斜材の他端部の固定金具は、前記足場板と同レベルのフランジより下方のフランジの前記外側の孔に挿通固定されるようになっている請求項１に記載の先行手摺り。
【請求項３】
支柱のフランジには４つの孔が形成され、そのうちの２つが足場板に近い内側の孔とされ、他の２つが足場板から遠い外側の孔とされるか、又は４つの孔のうちの３つが足場板に近い内側の孔とされ、他の１つが足場板から遠い外側の孔とされる請求項１又は２に記載の先行手摺り。
【請求項４】
足場又は支保工の仮設にあたって、対向する支柱間に取り付ける先行手摺りであって、水平材と、水平材の両端部に夫々一端部が枢着され、互いに交差する一対の斜材とからなり、水平材と斜材との各枢着端部には支柱に一定間隔おきに複数ずつ設けられたポケットに係止可能な係止部材を設け、各斜材の他端部には支柱又はそのポケットに固定可能な固定金具を設け、係止部材は、仮設される足場板のレベルより上方にある複数のポケットのうち足場板から遠い外側のポケットに係止され、固定金具は、仮設される足場板と同レベルにある複数のポケットの前記外側のポケットに挿通固定されるか、又は前記足場板と同レベルの複数のポケットより下方又は上方で支柱に固定されるようになっている先行手摺り。
【請求項５】
前記足場板と同レベルにあるポケットを利用して朝顔装置などの取付金具部材が取り付けられる場合、各斜材の他端部の固定金具を、前記足場板と同レベルのポケットより下方にあるポケットの前記外側のポケットに挿通固定するようにした請求項４に記載の先行手摺り。
【請求項６】
ポケットは支柱に一定間隔おきに４つずつ設けられ、この４つのポケットのうちの２つが足場板に近い内側のポケットとされ、他の２つが足場板から遠い外側のポケットとされるか、又は４つのポケットのうちの３つが足場板に近い内側のポケットとされ、他の１つが足場板から遠い外側のポケットとされる請求項４又は５に記載の先行手摺り。
【発明の詳細な説明】
【技術分野】
【０００１】
本発明は、足場又は支保工の先行手摺りに関するもので、既設の下段側足場板から、新設される上段側足場板の安全手摺りとして先行して取り付ける先行手摺りに関する。
【背景技術】
【０００２】
楔緊結式足場は、フランジ（又はポケット）付き支柱、楔緊結部付き布材、足場板、手摺りなどから構成されるもので、支柱のフランジには複数の孔が設けられ、またポケット付き支柱では支柱に一定間隔ごとに複数個ずつポケットが設けられ、そして布材を支柱に連結する時は、布材の各端部の緊結部を支柱のフランジの孔又はポケットに嵌め込んで、楔を、フランジ孔と緊結部の楔孔とに挿通させ、又はポケットと緊結部の楔孔とに挿通させて緊締するようにしている。フランジの孔又はポケットは、足場板に近い内側の孔又はポケットと、足場板から遠い外側の孔又はポケットとからなる複数のもので、内側の孔又はポケットには布材の端部の緊結部が楔緊結される。
【０００３】
このような楔緊結式足場において、既に仮設した下段側足場板（既設の足場板）を利用して、これから仮設しようとする上段側足場板（新設の足場板）の妻側端部に、水平材とこの水平材の両端部に夫々一端部が枢着されて、互いに交差する一対の斜材とからなる先行手摺りを取り付ける場合に、水平材の両端側に設けてある係止部材は、前記足場板より上方に位置する支柱のフランジの前記内側の孔（又は内側のポケット）に係止すればよいが、各斜材の下端部に設けてある取付金具を新設する足場板と同レベルにある支柱のフランジの内側の孔（又は内側のポケット）に取り付けようとする時に、そのフランジの内側の孔（又は内側のポケット）には布材の端部が楔緊結されておれば、斜材の下端部の取付金具を取り付けることができず、これを同フランジの外側の孔（又は外側のポケット）に取り付けようとしても、その取付金具が外側の孔（又は外側のポケット）に取り付けられる構造になっていないため、取り付けることができない。
【発明の概要】
【発明が解決しようとする課題】
【０００４】
上記のように、従来の楔緊結式足場にあっては、足場板の妻面側又は桁面側に近いフランジの内側の孔又は内側のポケットに布材の端部が楔緊結されているような時には先行手摺りの取付けができなかった。
【０００５】
本発明は、楔緊結式足場の仮設にあたり、支柱のフランジ孔又はポケットのうち足場板から遠い外側のフランジ孔又はポケットを利用して、足場の対向する支柱間に取り付ける先行手摺りを提供し、もって上記従来の課題を解決するようにしたことを目的としている。
【課題を解決するための手段】
【０００６】
上記課題を解決するための手段を、後述する実施形態の参照符号を付して説明すると、請求項１に係る発明は、足場又は支保工の仮設にあたって、対向する支柱１，１間に取り付ける先行手摺りであって、水平材８と、水平材８の両端部に夫々一端部が枢着され、互いに交差する一対の斜材９，９とからなり、水平材８と斜材９との各枢着端部には支柱１のフランジ３の孔２ａ〜２ｄに係止可能な係止部材１０を設け、各斜材９の他端部には支柱１又はそのフランジ３に固定可能な固定金具１１を設け、係止部材１０は、仮設される足場板６のレベルより上方にあるフランジ３に形成された複数の孔２ａ〜２ｄのうち足場板６から遠い外側の孔２ｃ又は２ｄに係止され、固定金具１１は、仮設される足場板６と同レベルにあるフランジ３の前記外側の孔２ｃ又は２ｄに挿通固定されるか、又は前記足場板６と同レベルのフランジ３より下方又は上方で支柱１に固定されるようになっていることを特徴とする。尚、固定金具１１は、楔をフランジの孔に対し挿通して楔緊結固定する場合に限らず、ピン部材をフランジの孔に単に挿通して固定する場合も含む。
【０００７】
請求項２は、請求項１に記載の先行手摺りにおいて、前記足場板６と同レベルにあるフランジ３を利用して朝顔装置４１などの取付金具部材が取り付けられる場合、各斜材９の他端部の固定金具１１を、前記足場板６と同レベルのフランジ３より下方のフランジ３の前記外側孔２ｃ又は２ｄに挿通固定するようにしたことを特徴とする。
【０００８】
請求項３は、請求項１又は２に記載の先行手摺りにおいて、支柱１のフランジ３には４つの孔２ａ〜２ｄが形成され、そのうちの２つが足場板６に近い内側の孔２ａ，２ｂとされ、他の２つが足場板６から遠い外側の孔２ｃ，２ｄとされるか、又は４つの孔２ａ〜２ｄのうちの３つが足場板に近い内側の孔２ａ，２ｂ，２ｃとされ、他の１つが足場板６から遠い外側の孔２ｄとされることを特徴とする。
【０００９】
請求項４に係る発明は、楔緊結式足場の仮設にあたり、足場又は支保工の仮設にあたって、対向する支柱１，１間に取り付ける先行手摺りであって、水平材８と、水平材８の両端部に夫々一端部が枢着され、互いに交差する一対の斜材９，９とからなり、水平材８と斜材９との各枢着端部には支柱１に一定間隔おきに複数ずつ設けられたポケット４ａ〜４ｄに係止可能な係止部材１０を設け、各斜材９の他端部には支柱１又はそのポケット４ａ〜４ｄに固定可能な固定金具１１を設け、係止部材１０は、仮設される足場板６のレベルより上方にある複数のポケット４ａ〜４ｄのうち足場板６から遠い外側のポケット４ｃ又は４ｄに係止され、固定金具１１は、仮設される足場板６と同レベルにある複数のポケット４ａ〜４ｄの前記外側のポケット４ｃ又は４ｄに挿通固定されるか、又は前記足場板６と同レベルの複数のポケットより下方又は上方で支柱１に固定されるようになっていることを特徴とする。尚、固定金具１１は、楔をポケットに対し挿通して楔緊結固定する場合に限らず、ピン部材をポケットに単に挿通して固定する場合も含む。
【００１０】
請求項５は、請求項４に記載の先行手摺りにおいて、前記足場板６と同レベルにあるポケット４ａ〜４ｄを利用して朝顔装置４１などの取付金具部材が取り付けられる場合、各斜材９の他端部の固定金具１１を、前記足場板６と同レベルのポケット４ａ〜４ｄより下方にあるポケット４ａ〜４ｄの前記外側のポケット４ｃ又は４ｄに挿通固定するようにしたことを特徴とする。
【００１１】
請求項６は、請求項４又は５に記載の先行手摺りにおいて、ポケット４ａ〜４ｄは支柱１に一定間隔おきに４つずつ設けられ、この４つのポケット４ａ〜４ｄのうちの２つが足場板に近い内側のポケット４ａ，４ｂとされ、他の２つが足場板から遠い外側のポケット４ｃ，４ｄとされるか、又は４つのポケット４ａ〜４ｄのうちの３つが足場板６に近い内側のポケット４ａ，４ｂ，４ｃとされ、他の１つが足場板６から遠い外側のポケット４ｄとされることを特徴とする。
【発明の効果】
【００１２】
上記解決手段による発明の効果を、後述する実施形態の参照符号を付して説明すると、請求項１に係る発明は、対向する支柱１，１間に取り付ける先行手摺りであって、水平材８と、これの両端部に夫々一端部が枢着され、互いに交差する一対の斜材９，９とからなり、水平材８と斜材９との各枢着端部に係止部材１０を設け、各斜材９の他端部に固定金具１１を設け、固定金具１１は、係止部材１０は、仮設される足場板６のレベルより上方にあるフランジ３に形成された複数の孔２ａ〜２ｄのうち足場板６から遠い外側の孔２ｃ又は２ｄに係止され、固定金具１１は、仮設される足場板６と同レベルにあるフランジ３の前記外側の孔２ｃ又は２ｄに挿通固定されるか、又は前記足場板６と同レベルのフランジ３より下方又は上方で支柱１に固定されるようになっているから、先行手摺りを取り付ける時に、係止部材１０を係止させるフランジ３の例えば足場板６に近い内側の孔２ａが既に使用されていたり、また固定金具１１を緊結するフランジ３の例えば足場板６に近い内側の孔２ａが、例えば布材５の緊結端部によって既に使用されていても、各係止部材１０を所要のフランジ３の前記外側の孔２ｃに係止し、また各固定金具１１を、所要のフランジ３の例えば外側孔２ｃに挿通固定することによって、あるいは所要のフランジ３より下方又は上方で支柱１に固定することによって、夫々先に使用されているものに邪魔されることなく、またこれから使用されるものの障害にならず、先行手摺りを簡単容易に取り付けることができる。
【００１３】
請求項２に係る発明の先行手摺りによれば、仮設しようとする足場板６と同レベルにあるフランジ３を利用して朝顔装置４１などの取付金具部材が取り付けられる場合、各斜材９の他端部の固定金具１１を、前記足場板６と同レベルのフランジ３より下方のフランジ３の前記外側孔２ｃ又は２ｄに挿通固定するようになっているから、前記足場板６と同レベルにあるフランジ３に取り付けられる朝顔装置４１などの取付金具部材が邪魔になるようなことがなく、また朝顔装置４１などの設置の際に障害となるようなことがない。
【００１４】
請求項３に係る発明の先行手摺りによれば、実施形態の図面の例えば図２及び図３に示すように、支柱１のフランジ３には４つの孔が形成されており、そして図２の(b) に示すように足場板６の妻面側両端部近傍にある支柱１のフランジ３では、そのフランジ３の４つの孔２ａ〜２ｄのうちの２つの孔２ａ，２ｂが足場板６に近い内側の孔とされ、他の２つの孔２ｃ，ｄｄが足場板６から遠い外側の孔とされる。また、図示はしないが、例えば平面視矩形状の建物躯体を取り囲むように仮設される足場のコーナー部では、そのコーナー部の角に位置する支柱のフランジも、その４つの孔のうちの２つが足場板に近い内側の孔とされ、他の２つの孔が足場板から遠い外側の孔とされる。一方、上記建物躯体を取り囲む足場においてコーナー部の角以外の箇所に位置する支柱、つまり上記建物躯体の外周に沿って直線状に延びる複数の足場板の妻面側どうしが隣接する箇所にある中間スパンの支柱のフランジの場合には、４つの孔のうちの３つが足場板に近い内側の孔とされ、他の１つが足場板から遠い外側の孔とされる。また、例えば図１２の(a) ，(b) に示すような支保工の場合は、同図(b) の平面図で示す支保工の外周に沿って位置する支柱１・・・のうち、コーナー部の角にある支柱１のフランジでは、４つの孔のうちの２つが足場板に近い内側の孔とされ、他の２つが足場板から遠い外側の孔とされ、また外周沿いにある支柱１・・・のうち、コーナー部の角以外の箇所にある支柱１では、４つの孔のうちの３つが足場板に近い内側の孔とされ、他の１つが足場板から遠い外側の孔とされる。
【００１５】
請求項４に係る発明は、支柱１に一定間隔おきに複数ずつ設けられたポケット４ａ〜４ｄを利用して、足場の対向する支柱１，１間に取り付ける先行手摺り４０であり、水平材８と、これの両端部に夫々一端部が枢着された一対の斜材９，９とからなり、水平材８と斜材９との各枢着端部に係止部材１０を設け、各斜材９の他端部に固定金具１１を設け、係止部材１０は、仮設される足場板６のレベルより上方にある複数のポケット４ａ〜４ｄのうち足場板６から遠い外側のポケット４ｃ又は４ｄに係止され、固定金具１１は、仮設される足場板６と同レベルにある複数のポケット４ａ〜４ｄの前記外側のポケット４ｃ又は４ｄに挿通固定されるか、又は前記足場板６と同レベルの複数のポケットより下方又は上方で支柱１に固定されるようになっているから、先行手摺りを取り付ける時に、係止部材１０を係止させるフランジ３の例えば足場板６に近い内側のポケット４ａが他の手摺りの取付けに既に使用されていたり、固定金具１１を固定するポケット４ａ〜４ｄの例えば足場板６に近い内側のポケット４ａが例えば布材５の緊結端部によって既に使用されていたりしても、それぞれ先に使用されているものに邪魔されることなく、先行手摺りを簡単容易に取り付けることができる。
【００１６】
請求項５に係る発明によれば、前記足場板６と同レベルにあるポケットを利用して朝顔装置などの取付金具部材が取り付けられる場合、各斜材９の他端部の固定金具１１を、前記足場板６と同レベルのポケットより下方にあるポケットの前記外側のポケット４ｃ又は４ｄに挿通固定するようになっているから、前記足場板６と同レベルにあるポケットに取り付けられる朝顔装置４１などの取付金具部材が邪魔になるようなことがなく、あるいは朝顔装置４１などの設置の際に障害となるようなことがない。
【００１７】
請求項６に係る発明によれば、図１０及び図１１によって後述する実施形態の説明のように、支柱１にはポケットが４つずつ設けられており、そして図１０の(b) 及び図１１の(b) に示すように、足場板６の妻面側両端部近傍にある支柱１のポケット４ａ〜４ｄは、４つのポケット４ａ〜４ｄのうちの２つのポケット４ａ，４ｂが足場板６に近い内側のポケットとされ、他の２つのポケット４ｃ，４ｄが足場板６から遠い外側のポケットとされる。また、図示はしないが、例えば平面視矩形状の建物躯体を取り囲むように仮設される足場のコーナー部では、そのコーナー部の角に位置する支柱のポケットも、その４つのポケットのうちの２つが足場板に近い内側のポケットとされ、他の２つのポケットが足場板から遠い外側のポケットとされる。一方、上記建物躯体を取り囲む足場においてコーナー部の角以外の箇所に位置する支柱、つまり上記建物躯体の外周に沿って直線状に延びる複数の足場板の妻面側どうしが隣接する箇所にある中間スパンの支柱のポケットの場合は、４つのポケットのうちの３つが足場板に近い内側のポケットとされ、他の１つが足場板から遠い外側のポケットとされる。また、例えば図１２の(a) ，(b) に示すような支保工の場合は、同図(b) の平面図で示す支保工の外周沿いに位置する支柱１・・・のうち、コーナー部の角にある支柱１のポケットでは、４つのポケットのうちの２つが足場板に近い内側のポケットとされ、他の２つが足場板から遠い外側のポケットとされ、また外周沿いにある支柱１・・・のうち、コーナー部の角以外の箇所にある支柱１では、４つのポケットのうちの３つが足場板に近い内側のポケットとされ、他の１つが足場板から遠い外側のポケットとされる。
【図面の簡単な説明】
【００１８】
【図１】本発明に係る先行手摺りを仮設した楔緊結式足場の一実施例を示す斜視図で、足場支柱にフランジが設けてある場合を示す。
【図２】(a) は図１に示す先行手摺りを足場板の妻面側から見た正面図、(b) はその平面図である。
【図３】(a) は図２の(a) の矢印Ａ及び矢印Ｂで示す部分の拡大正面図、(b) は(a) の平面図である。
【図４】(a) は図２の(a) の矢印Ｃ及び矢印Ｄで示す部分の拡大正面図、(b) は(a) の平面図である。
【図５】(a) は本発明に係る先行手摺りの係止部材を示す斜視図、(b) は固定金具を示す斜視図である。
【図６】本発明に係る先行手摺りを仮設した楔緊結式足場の他の実施形態を示す斜視図である。
【図７】(a) は図６に示す先行手摺りを足場板の妻面側から見た正面図、(b) はその平面図である。
【図８】(a) は図７の(a) の矢印Ｅ及び矢印Ｆで示す部分の拡大正面図、(b) は(a) の平面図である。
【図９】(a) は図７の(a) の矢印Ｇ及び矢印Ｈで示す部分の拡大正面図、(b) は(a) の平面図である。
【図１０】(a) は足場支柱にポケットが設けてある場合の先行手摺りの係止部材側を示す図８の(a) と同様な拡大正面図、(b) は(a) の平面図である。
【図１１】(a) は足場支柱にポケットが設けてある場合の先行手摺りの固定金具側を示す図９の(a) と同様な拡大正面図、(b) は(a) の平面図である。
【図１２】(a) は支保工を示す縦断面図、(b) は(a) のＪ−Ｊ線断面図である。
【図１３】(a) は先行手摺りを取り付けた状態を足場板長手方向布材側から見た一部拡大正面図、(b) は(a) の矢印Ｋで示す部分の拡大斜視図、(c) は(a) の矢印Ｌで示す部分の拡大斜視図である。
【図１４】固定金具の他の実施形態を示すもので、(a) は固定金具を支柱に固定する前の状態を示す斜視図、(b) は支柱に固定した後の状態を示す斜視図である。
【図１５】固定金具の更に他の実施形態を示すもので、(a) は固定金具が支柱に固定された状態の平面図、(b) はその正面図である。
【発明を実施するための形態】
【００１９】
以下に本発明の好適な実施形態を図面にもとづいて説明すると、図１は、各支柱１にその長さ方向に所定の間隔で孔付きフランジ３が設けられたタイプの楔緊結式足場を示す。この楔緊結式足場の仮設にあたって、建物躯体側（図１の左奥側）に内側の支柱１を所定間隔おきに複数配置して、各内側支柱１を壁つなぎ材（図示せず）により建物躯体の外壁に固定し、この内側支柱１に対向して外側（図１の右手前側）に支柱１を配置し、これら内外の支柱１，１間において所定位置で対向するフランジ３，３どうしを布材５で連結した後、足場板長手方向に対向する布材５，５間に１段目の足場板６を架け渡す。またこの１段目（下段側）足場板６の建物躯体に面する桁面側で足場板長さ方向に対向する支柱１，１間には手摺り杆３１を上下２段に架け渡し、その反対側の桁面側で足場板長さ方向に対向する支柱１，１間には筋違いタイプの手摺り３２を架け渡す。この１段目（下段側）足場の手摺り杆３１及び手摺り３２の取付作業は地上（地面上）で行える。
【００２０】
こうして１段目足場の足場板６を仮設した後、この１段目足場板６を利用して、作業者は、足場板幅方向に対向する内外支柱１，１間においてこれから仮設しようとする２段目足場板６のレベルで対向するフランジ３，３どうしを布材５で連結し、そして内外支柱１，１間には２段目足場板６レベルとそれより上方の所定高さ位置とにわたって、本発明に係る妻側先行手摺り７を取り付ける。また、１段目足場と同様に、桁面側で足場板長手方向に対向する支柱１，１間に手摺り杆３１を取り付け、それと反対側には手摺り３２を取り付ける。こうして先行手摺り７、手摺り杆３１及び手摺り３２を取り付けた後、足場板長手方向に対向する前記布材５，５間に２段目足場板６を架け渡す。以降は上記の操作を繰り返し行って、多段状の足場を仮設するようになっている。
【００２１】
各支柱１のフランジ３には、図２の(b) 及び図３の(b) に示すように、４つの孔２ａ〜２ｄが設けられており、そして４つの孔２ａ〜２ｄのうちの２つが足場板６に近い内側の孔２ａ，２ｂとされ、他の２つが足場板６から遠い外側の孔２ｃ，２ｄとされる。また、図示はしないが、例えば平面視矩形状の建物躯体を取り囲むように仮設される足場のコーナー部では、そのコーナー部の角に位置する支柱のフランジも、４つの孔のうちの２つが足場板に近い内側の孔とされ、他の２つの孔が足場板から遠い外側の孔とされる。一方、上記建物躯体を取り囲む足場においてコーナー部の角以外の箇所に位置する支柱、つまり上記建物躯体の外周に沿って直線状に延びる複数の足場板の妻面側どうしが隣接する箇所にある中間スパンの支柱のフランジの場合は、４つの孔のうちの３つが足場板に近い内側の孔とされ、他の１つが足場板から遠い外側の孔とされる。尚、支柱１のフランジ３には８つの孔が設けられる場合もあるが、その場合、通常では、８つの孔のうちの足場板に近い４つの孔が内側の孔とされ、足場板から遠い他の４つの孔が外側の孔とされる。また、上記建物躯体を取り囲む足場のコーナー部では、そのコーナー部の角にある支柱のフランジも、８つの孔のうちの４つが足場板に近い内側の孔とされ、他の４つの孔が足場板から遠い外側の孔とされる。そして、上記建物躯体を取り囲む足場においてコーナー部の角以外の箇所に位置する支柱、つまり上記建物躯体の外周に沿って直線状に延びる複数の足場板の妻面側どうしが隣接する箇所にある中間スパンの支柱のフランジの場合には、８つの孔のうちの５つが足場板に近い内側の孔とされ、他の３つが足場板から遠い外側の孔とされる。
【００２２】
また、足場板幅方向に対向する内外支柱１，１間において足場板６のレベルで対向するフランジ３，３どうしを連結する布材５の連結構造は、周知の構造であるため、詳しい図示は省略するが、図２の(b) 、図３の(b) 及び図４に概略示すように、布材５の端部に、支柱１の軸芯に向かう方向にフランジ３を銜え込む固定シュー３３が設けられ、この固定シュー３３には上部と下部とに楔孔（図示せず）が形成してあって、フランジ３への連結にあたっては、図２の(b) ，図３の(b) から分かるように、フランジ孔２ａ〜２ｄのうち足場板６の妻面側に近い内側の孔２ａのあるフランジ３部分に固定シュー３３を銜え込ませた状態で、楔３４を固定シュー３３の上部及び下部の楔孔とフランジ孔２ａとに挿通させ、ハンマ−で叩き込むことによって、布材５の楔緊結端部をフランジ３に固定することができる。
【００２３】
また、手摺り杆３１及び手摺り３２の取付構造も周知の構造であり、図１、図２の(b) 、図３の(b) に概略示すように、手摺り杆３１については、前記布材５と同様に、端部の固定シュー３５を足場板６の桁面側に近い内側の孔２ｂのあるフランジ３部分に銜え込ませた状態で、楔３６を固定シュー３５の上下の楔孔とフランジ孔２ｂとに挿通させて、ハンマ−で叩き込むことにより、フランジ３に取り付ける。また、手摺り３２は、図１及び図３の(b) に概略示すように、水平材３７と、これに両端部に夫々一端部が枢着された一対の斜材３８，３８とからなるもので、水平材３７の各端部側に設けた係止部材３９を所要のフランジ３の足場板桁面側に近い内側の孔２ｂに係止させ、各斜材３８の他端部のに設けた図示しない固定シューを、図１に示すように足場板６の同レベルのフランジ３の足場板桁面側に近い内側の孔２ｂのあるフランジ部分に銜え込ませた状態で、図示しない楔を固定シュー側の楔孔とフランジ孔２ｂに挿通させ、ハンマ−で叩き込むことにより、各斜材３９の他端部をフランジ３に固定している。
【００２４】
次に、本発明に係る先行手摺り７について説明すると、この先行手摺り７は、水平材８と、この水平材８の両端部に夫々一端部がボルト・ナット１４（枢軸部）によって枢着され、互いに交差する一対の斜材９，９とからなるもので、水平材８と斜材９との各枢着端部には支柱１のフランジ孔２ａ〜２ｄに係止可能な係止部材１０が設けられ、各斜材９の他端部には支柱１のフランジ３に固定可能な固定金具１１が設けられている。
【００２５】
各係止部材１０は、図３の(a) ，(b) 及び図５の(a) に示すように、斜材９の一端部に取り付けられた板状本体１２と、これの先端部に下向きに突設された挿入片１３とからなるもので、この挿入片１３を、足場板６から遠い外側のフランジ孔２ｃ（図２の(b) 及び図３の(b) 参照）に挿入係止させるようになっている。
【００２６】
各固定金具１１は、図２の(b) 、図４の(a) ，(b) 及び図５の(b) に示すように、足場板６から遠い外側のフランジ孔２ｃのあるフランジ部分をそのフランジ孔２ｃを横切る方向に銜え込み可能にコ字状に形成されていて、上片部１５ａ及び下片部１５ｂのそれぞれ先端部に楔孔１７，１８（図５の(b) 参照）を有するコ字枠１５と、このコ字枠１５が前記フランジ部分を銜え込んだ位置で上下片部１５ａ，１５ｂの楔孔１７，１８とフランジ孔２ｃとに挿通されて、コ字枠１５をフランジ３に楔緊結固定する楔１６とからなるもので、コ字枠１５の上片部１５ａ下面からは支持突片１９が下向きに突設されている。
【００２７】
この固定金具１１の取付けにあたっては、図４の(b) 及び図５の(b) に示すように、コ字枠１５を、前記外側のフランジ孔２ｃのあるフランジ部分にその孔２ｃを横切る方向に銜え込ませて、上片部１５ａの下面から突出する支持突片１９をフランジ３の上面に支持させた状態で、楔１６を、コ字枠１５の上片部１５ａ側の楔孔１７から前記フランジ３の孔２ｃを介してコ字枠１５の下片部１５ｂ側の楔孔１８に挿通し、ハンマーなどで叩き込めばよく、これによってコ字枠１５をフランジ３に楔緊結固定することができる。
【００２８】
上記のように構成される先行手摺り７の使用について説明すれば、この先行手摺り７は、図１に示すように、既設の下段側足場板６を使用して上段側足場を仮設するにあたり、上段側足場の妻側端部に足場板幅方向に対向する内外支柱１，１間に取り付けるものである。この時、足場板幅方向に対向する内外支柱１，１間には、これから仮設しようとする２段目足場板６のレベルで対向するフランジ３，３どうしが布材５で連結されている。そして、作業者は、水平材８の両端部にある係止部材１０，１０を、２段目足場板６のレベルより所要高さ上方位置で対向する支柱１，１のフランジ３，３に係止し、両斜材９，９を交差させた状態で、両斜材９，９の下端部の固定金具１１，１１を、２段目足場板６のレベルで布材５の連結されているフランジ３，３に固定する。
【００２９】
上記係止部材１０の取付けにあたっては、作業者が一方の斜材９を垂直に立ち上げて、この斜材９の上端部にある係止部材１０の挿入片１３を、一方の支柱１の所定のフランジ３の、足場板６から遠い外側の孔２ｃに挿入した後、他方の斜材９を同様に立ち上げて、水平材８を水平に保った状態で、この斜材９の上端部にある係止部材１０の挿入片１３を、反対側の支柱１の対応するフランジ孔２ｃに挿入すればよい。この係止部材１０の取付状態を図３の(a) ，(b) 及び図５の(a) に示す。
【００３０】
また上記各固定金具１１の取付けにおいては、図４の(a) ，(b) 及び図５の(b) に示すように、各斜材９の下端部にあるコ字枠１５を、２段目足場板６のレベルに位置する支柱１のフランジ３のそれぞれ足場板６から遠い外側の孔２ｃのあるフランジ３部分に対し、その孔２ｃを横切る方向に銜え込ませて、コ字枠１５の上片部１５ａ下面から突出する支持突片１９をフランジ３の上面に支持させた状態で、楔１６を、コ字枠上片部１５ａ側の楔孔１７からフランジ３の孔２ｃを介してコ字枠１５の下片部１５ｂ側の楔孔１８に挿通し、ハンマーで叩き込むことによって、コ字枠１５をフランジ３に楔緊結固定することができる。
【００３１】
以上、図１〜図５によって説明した先行手摺り７は、支柱１のフランジ孔２ａ〜２ｄのうち足場板６から遠い外側の孔２ｃを利用して、足場の対向する内外支柱１，１間に取り付ける妻側先行手摺りであって、固定金具１１は、前記外側の孔２ｃのあるフランジ部分をその孔２ｃを横切る方向に銜え込み可能にコ字状に形成され、その先端側上下部に楔孔１７，１８を有するコ字枠１５と、コ字枠１５が前記フランジ部分を銜え込んだ位置でその楔孔１７，１８とフランジ孔２ｃとに挿通されて、コ字枠１５をフランジ３に固定する楔１６とからなるもので、各係止部材１０を、仮設しようとする足場板６のレベルより上方の所要のフランジ３の前記外側の孔２ｃに係止し、各固定金具１１を、前記足場板６と同レベルにあるフランジ３の前記外側孔２ｃ部分に固定するようになっているから、この手摺り７を取り付ける時に、係止部材１０を係止させるフランジ３の足場板妻面側に近い内側の孔２ａが既に使用されていたり、また固定金具１１を楔緊締するフランジ３の足場板妻面側に近い内側の孔２ａが、図１〜図５に示す実施形態のように布材５の楔緊結端部によって既に使用されていても、各係止部材１０を所要のフランジ３の前記外側の孔２ｃに係止し、また各固定金具１１のコ字枠１５を所要のフランジ３の前記外側孔２ｃ部分に緊結固定することによって、それぞれ先に使用されているものに邪魔されることなく、またこれから使用されるものの障害にならず、先行手摺り７を簡単容易にして且つ的確に取り付けることができる。
【００３２】
図６は、図１と同じく各支柱１にその長さ方向に所定の間隔で孔付きフランジ３が設けられたタイプの楔緊結式足場を示しているが、この足場は、仮設しようとする足場板６と同レベルにあるフランジ３を利用して朝顔装置４１の取付金具部材が取り付けられる場合の実施形態を示している。図７の(a) は図６に示す先行手摺りを足場板の妻面側から見た正面図、(b) はその平面図であり、図８の(a) は図７の(a) の矢印Ｅ及び矢印Ｆで示す部分の拡大正面図、(b) は(a) の平面図であり、また図９の(a) は図７の(a) の矢印Ｇ及び矢印Ｈで示す部分の拡大正面図、(b) は(a) の平面図である。これらの図において、朝顔装置４１以外の足場及び手摺り構成部材は図１〜図５で説明したものと同一であるため、それらの説明を省略し、同一構成部材については同一符号を付している。
【００３３】
上記朝顔装置４１は、矩形状本体枠４２を形成する縦枠４２ａの基端部を上部取付ブラケット４３を介して支柱１の所要箇所に固定すると共に、各縦枠４２ａの先端部に支持枠４４の上端部を枢着し、各縦枠４２ａをその先端側が基端側よりも上位となる傾斜姿勢で各支持枠４４の下端部に枢着した下部取付ブラケット４５を支柱１の所要箇所に固定し、矩形状本体枠４２内に複数枚の足場板４６を配設する（又は防護ネットを張架する）ようにしたものである。上下各ブラケット４３，４５は、図７の(a) に示すように、上端部にパイプクランプ６８を装備し、その下端部には、支柱１に係合支持される平面視円弧状の支持金具６９を装備すると共に、フランジ３の孔２ａ〜２ｄに係止可能な係止ピン７０を装備している。
【００３４】
この朝顔装置４１の場合、本体枠４２の基端側にある上部取付ブラケット４３の係止ピン７０は、図６、図７の(a) 及び図９の(b) で示されるように、仮設しようとする足場板６（２段目足場板６）と同レベルに位置するフランジ３の外側の孔２ｄ（足場板６の桁面側から遠い外側の孔２ｄ）に係止され、そして平面視円弧状の支持金具６９は、そのフランジ３の上側で支柱１の側面部に係合支持されている。また、支持枠４４の下端部に枢着した下部取付ブラケット４５は、図６に概略示すように、１段目足場板６と同レベルに位置するフランジ３側で上部取付ブラケット４３と同様にして取り付けられている。
【００３５】
上記のように仮設しようとする足場板６と同レベルにあるフランジ３を利用して朝顔装置４１の取付金具部材が取り付けられる場合に、前述した図１に示すような妻側先行手摺り７を設置しようとすると、前記フランジ３の外側の孔２ｄには朝顔装置４１の上部取付ブラケット４３の係止ピン７０が係止され、そして平面視円弧状の支持金具６９が支柱１に係合支持されているため、図７の(a) から分かるように特にこの円弧状の支持金具６９が邪魔になって、斜材９の下端部にある固定金具１１を前記フランジ３の外側の孔２ｃに取り付けることが困難又は不能になる。そこで、仮設しようとする足場板６と同レベルにあるフランジ３に朝顔装置４１の取付金具部材が取り付けられる場合でも、設置ができるようにしたのが図７に示すような先行手摺り４０である。
【００３６】
この先行手摺り４０は、斜材９の長さを前記先行手摺り７の斜材９より長く形成して、斜材９の下端部（他端部）に設けた固定金具１１を、前記足場板６と同レベルのフランジ３よりも一段下方のフランジ３の前記外側孔２ｃ（足場板妻面側から遠い外側のフランジ孔２ｃ）固定するようにしたものである。この先行手摺り４０は、各斜材９の長さを前記先行手摺り７の斜材９よりも所要長さ長く形成した以外は、先行手摺り７と全く同じ構成であって、支柱１のフランジ３に対する係止部材１０及び固定金具１１の係止及び固定方法も、先行手摺り７と同じあるため、その説明を省略する。
【００３７】
上記のように、仮設しようとする足場板６と同レベルにあるフランジ３を利用して朝顔装置４１などの取付金具部材が取り付けられる場合には、斜材９の長さを前記先行手摺り７の斜材９より長く形成して、その下端部の固定金具１１を、前記足場板６と同レベルのフランジ３よりも一段下方のフランジ３の外側孔２ｃ部分に固定するようにすることで、朝顔装置４１などの取付金具部材が邪魔になるようなことがなく、あるいは朝顔装置４１などの設置の際に障害となるようなことがない。
【００３８】
以上図１〜図９によって説明した楔緊結式足場と、各支柱１にその長さ方向に所定の間隔で孔２ａ〜２ｄ付きフランジ３が設けられたフランジタイプの楔緊結式足場であるが、本発明に係る先行手摺り７，４０は、支柱１に一定間隔おきに複数個ずつポケット４ａ〜４ｄが設けられたポケットタイプの楔緊結式足場にも適用される。図１０の(a) は、ポケットタイプの楔緊結式足場を仮設するにあたって、足場の桁面側に取り付けた先行手摺り７又は４０の係止部材１０側を示す、図３の(a) 、図８の(a) と同様な拡大正面図であり、(b) は(a) の平面図であり、図１１の(a) は同先行手摺り７又は４０の固定金具１１側を示す、図４の(a) 、図９の(a) と同様な拡大正面図、(b) は(a) の平面図である。
【００３９】
図１０及び図１１に示す楔緊結式足場の支柱１に一定間隔おきに複数個ずつ設けられたポケット４ａ〜４ｄは、足場板６の妻面側に近い内側のポケット４ａと妻面側から遠い外側のポケット４ｃと足場板６の桁面側に近い内側のポケット４ｂと桁面側から遠い外側のポケット４ｄの４つのポケットからなるもので、本発明に係る先行手摺り７又は４０は、ポケット４ａ〜４ｄのうち足場板６の妻面側から遠い外側のポケット４ｃを利用して、足場板６の長手方向に対向する支柱１，１間に取り付けられている。先行手摺り７は、図１に示すように取り付けられる妻側先行手摺りであり、先行手摺り４０は、図６に示すように朝顔装置４１などが取り付けられる場合に使用する妻側先行手摺りである。
【００４０】
即ち、図１０及び図１１に示される先行手摺り７は、図１〜図９に示す先行手摺り７の構造とほとんど同じで、水平材８と、水平材８の両端部に夫々一端部が枢着された一対の斜材９，９とからなるもので、水平材８と斜材９との各枢着端部に支柱１のポケット４ａ〜４ｄに係止可能な係止部材１０を設け、各斜材９の他端部に支柱１のポケット４ａ〜４ｄに固定可能な固定金具１１を設けてなり、各係止部材１０は、板状本体１２とこれの先端部に下向きに突設された挿入片１３とからなるもので、挿入片１３を前記外側のポケット４ｃに挿入係止させるようになっており、また固定金具１１は、前記外側のポケット４ｃを横切る方向に銜え込み可能にコ字状に形成され、その先端側上下部に楔孔１７，１８を有するコ字枠１５と、コ字枠１５が前記外側のポケット４ｃを銜え込んだ位置でそのポケット４ｃとコ字枠１５の楔孔１７，１８とに挿通されて、コ字枠１５をポケット４ｃに固定する楔１６とからなる。従って、この先行手摺り７を取り付けるには、各係止部材１０を、仮設される足場板６のレベルより上方にあるポケット４ａ〜４ｄの前記外側のポケット４ｃに係止し、各固定金具１１を、前記足場板６と同レベルにあるポケット４ａ〜４ｄの前記外側のポケット４ｃに固定すればよい。
【００４１】
また、先行手摺り４０は、図６〜図９によって説明したように、各斜材９の長さを前記先行手摺り７の斜材９より所要長さ長く形成した点以外は、先行手摺り７と同じ構成であり、また支柱１のフランジ３に対する係止部材１０及び固定金具１１の係止及び固定方法についても、先行手摺り７と同じあるから、それらの説明を省略する。
【００４２】
また図１０及び図１１により説明したように、支柱１にはポケットが４つずつ設けられており、そして足場板６の妻面側両端部近傍にある支柱１のポケット４ａ〜４ｄでは、図１０に示すように、４つのポケット４ａ〜４ｄのうちの２つのポケット４ａ，４ｂが足場板６に近い内側のポケットとされ、他の２つのポケット４ｃ，４ｄが足場板６から遠い外側のポケットとされる。また、図示は省略するが、例えば平面視矩形状の建物躯体を取り囲むように仮設される足場のコーナー部では、そのコーナー部の角に位置する支柱のポケットも、その４つのポケットのうちの２つが足場板に近い内側のポケットとされ、他の２つのポケットが足場板から遠い外側のポケットとされる。一方、上記建物躯体を取り囲む足場においてコーナー部の角以外の箇所に位置する支柱、つまり上記建物躯体の外周に沿って直線状に延びる複数の足場板の妻面側どうしが隣接する箇所にある中間スパンの支柱のポケットの場合は、４つのポケットのうちの３つが足場板に近い内側のポケットとされ、他の１つが足場板から遠い外側のポケットとされる。
【００４３】
以上の実施形態は、支柱１のフランジ３に形成された４つの孔２ａ〜２ｄのうち足場板６の妻面側から遠い外側の孔２ｃを利用して、あるいは支柱１のポケット４ａ〜４ｄのうち足場板６の妻面側から遠い外側のポケット４ｃを利用して、足場の対向する支柱１，１間に取り付ける図１及び図６に示すような妻側先行手摺り７，４０について説明したが、本発明に係る先行手摺りは、このような妻側先行手摺り７，４０に限るものではなく、桁側先行手摺りに適用することができる。即ち、図１及び図６には、足場板桁面側に従来タイプの手摺り３２を設置しており、この手摺り３２は、図２及び図７更には図１０から分かるように、フランジ孔２ａ〜２ｄのうち足場板桁面側に近い内側の孔２ｂ、あるいはポケット４ａ〜４ｄのうち足場板桁面に近い内側のポケット４ｂを利用したものであるが、足場板桁面側から遠い外側のフランジ孔２ｄ、あるいは足場板桁面側から遠い外側のポケット４ｄを利用して、足場板長手方向に対向する支柱１，１間に取り付けられる桁側先行手摺りとしてもよい。
【００４４】
図１２は例えばトンネル工事用支保工を示すもので、(a) はその縦断面図、(b) は(a) のＪ−Ｊ線断面図である。この支保工は、トンネル４８の築造工事において上壁部４９を形成する型枠をコンクリート打設から硬化まで支持する構造物で、図１及び図６に示す足場の支柱１と同様にその長さ方向に所定の間隔で孔付きフランジ３を設けた支柱１を前後左右方向に夫々一定間隔で立設し、前後左右に対向する支柱１，１どうしを足場板幅方向の布材５ａと足場板長手方向の布材５ｂとによって連結すると共に、支柱１，１間には筋交い（図示省略）を取り付け、そして足場板幅方向布材５ａ，５ａ間に足場板６を架け渡し、下段側の作業床を形成する。尚、図１２の(a) には足場板６の図示を省略し、(b) では足場板６を簡略図示しているが、この足場板６は、(a) に示す作業床レベルに全面的に敷き詰められている。各布材５ａ，５ｂの両端部は、夫々周知構造の楔緊結部を形成し、この楔緊結端部を支柱１のフランジ３に楔緊結式に固定する。
【００４５】
下段側作業床の形成後、各支柱１に支柱１を継ぎ足し、上記同様に支柱１，１どうしを布材５ａ，５ｂによって連結すると共に、支柱１，１間に筋交い（図示せず）を介装し、足場板幅方向布材５ａ，５ａ間に足場板６を架け渡して上段側作業床を形成する。この場合、作業床は、図１２の(b) から分かるように足場板６が全面的に敷き詰められて形成されるから、作業床の外周以外は、墜落するおそれはないが、その作業床外周には手摺りを取り付ける必要がある。尚、図１２の(a) ，(b) に示すような支保工の場合は、同図(b) の平面図で示す支保工の外周沿いに位置する支柱１・・・のうち、コーナー部の角にある支柱１のポケットでは、４つのポケットのうちの２つが足場板に近い内側のポケットとされ、他の２つが足場板から遠い外側のポケットとされ、また外周沿いにある支柱１・・・のうち、コーナー部の角以外の箇所にある支柱１では、４つのポケットのうちの３つが足場板に近い内側のポケットとされ、他の１つのポケットが足場板から遠い外側のポケットとされる。
【００４６】
図１３の(a) は、上段側作業床を形成するにあたってその外周に先行手摺り５０を取り付けた状態を足場板長手方向布材５ｂ側から見た一部拡大正面図、(b) は(a) の矢印Ｋで示す部分の拡大斜視図、(c) は(a) の矢印Ｌで示す部分の拡大斜視図である。この先行手摺り５０は、水平材８と、この水平材８の両端部に夫々一端部がボルト・ナット１４（枢軸部）によって枢着され、互いに交差する一対の斜材９，９とからなるもので、水平材８と斜材９との各枢着端部には支柱１のフランジ孔２ａ〜２ｄに係止可能な係止部材１０が設けられ、各斜材９の他端部には支柱１に固定可能な固定金具１１が設けられている。
【００４７】
各係止部材１０は、図１３の(b) に示すように、斜材９の一端部に取り付けられた板状本体１２と、これの先端部に下向きに突設された挿入片１３とからなるもので、この挿入片１３を、足場板６から遠い外側のフランジ孔２ｄに挿入係止させるようになっている。各固定金具１１は、図１３の(c) に示すように、斜材９の他端部に取付部材５１を介して取り付けられ、仮設される足場板６と同レベルにあるフランジ３より下方で支柱１に足場板６側から嵌合するようにコ字状に形成されたコ字枠片５２と、コ字枠片５２の開口側一端部に螺装された固定用の蝶ボルトからなる固定ネジ５３とによって構成される。
【００４８】
この先行手摺り５０は、図示は省略するが、既設の下段側作業床（足場板６）を使用して上段側作業床を仮設するにあたり、上段側作業床の外周に取り付けるものである。この時、仮設しようとする上段側作業床レベルにある支柱１のフランジ３には、図１３の(c) に示すように足場板に近い内側の孔２ａ，２ｂに布材５ａ，５ｂの緊結端部が夫々楔緊結されている。しかして、作業者は、水平材８の各端部にある係止部材１０を、仮設される上段側作業床レベルより所要高さ上方位置で支柱１のフランジ３の、足場板６から遠い外側の孔２ｄに係止し、各斜材９の下端部の固定金具１１を、図１３の(c) に示すように上段側作業床レベルにあるフランジ３よりも下方で支柱１に固定すればよい。この固定金具１１の取付けにあたっては、コ字枠片５２を支柱１に嵌合させて、固定ネジ５３を締め付けて、ネジ先端部を支柱断面の概ね接線方向沿いに圧着することにより、コ字枠片５２を支柱１に固定することができる。
【００４９】
この先行手摺り５０によれば、係止部材１０及び固定金具１１を取り付けるフランジ３の内側の孔２ａ，２ｂが既に使用されていても、その使用されているものに邪魔されることなく、またこれから使用されるものの障害となるようなことがなく、先行手摺り５０を簡単容易にして且つ的確に取り付けることができる。
【００５０】
尚、図１３に示す先行手摺り５０の実施形態では、斜材９下端部の固定金具１１が、仮設される作業床と同レベルにあるフランジ３より下方で支柱１に固定されるようになっているが、固定金具１１は、仮設される作業床レベルにあるフランジ３より上方で支柱１に固定してもよい。但し、この実施形態のように、当該フランジ３より下方で支柱１に固定されるようにすれば、より低い位置で固定金具１１の取付作業が行えるから、作業がし易くなる。
【００５１】
図１４は前述のように支柱１に固定される固定金具１１の他の実施形態を示すもので、(a) は固定金具１１を支柱１に固定する前の状態を示し、(b) は支柱１に固定した後の状態を示す。即ち、ここに示す固定金具１１は、コ字状に形成した基端部５４ａを斜材９の下端部に外嵌させて溶接又はリベット止めで固着される金具本体５４と、この金具本体５４に保持されたロックピン５５とからなる。金具本体５４は、先端側が支柱１を抱持する平面視略Ｃ字状の抱持枠５６を形成し、この抱持枠５６の先端部５６ａに上下方向に貫通する掛止穴５７を有し、また抱持枠５６の基端部５６ｂ側には上下方向に貫通するピン枢支用孔５８を有する。
【００５２】
一方、ロックピン５５は、下向きの鉤形先端部５５ａ、平面視略Ｃ字形に湾曲した腕部５５ｂ、この腕部５５ｂから下向きＬ字状に延びる基端側枢軸部５５ｃからなるもので、枢軸部５５ｃを金具本体５４のピン枢支用孔５８に挿通させることにより、水平旋回及び上下変位可能に枢支される。そして、この枢軸部５５ｃには圧縮コイルスプリング５９が下端に螺着した袋ナット６０と金具本体５４下面との間に介装される形で装着され、それによりロックピン５５はコイルスプリング５９のばね力で鉤形先端部５５ａが掛止穴５７に対して挿嵌する方向、つまりロック方向に常時付勢される。しかして、ロックピン５５は、図１４の(a) に矢印で示すように、コイルスプリング５９の付勢力に抗して持ち上げた状態で枢軸部５５ｃを中心に腕部５５ｂを回転させ、図１４の(b) に示すように鉤形先端部５５ａを掛止穴５７に挿嵌することによってロック姿勢となり、従ってこの姿勢で腕５５ｂがＣ字状抱持枠５６と共に支柱１を抱持して、金具本体５４を支柱１に固定するようになっている。
【００５３】
図１５は支柱１に固定される固定金具１１の更に他の実施形態を示すもので、(a) は固定金具１１が支柱１に固定された状態の平面図、(b) はその正面図である。この固定金具１１は、凹溝状の基端部６１ａを斜材９の下端部に外嵌させて溶接又はリベット止めで固着される金具本体６１を有し、この金具本体６１は、支柱１を抱持する平面視略Ｃ字状の抱持枠６２を形成している。この抱持枠６２の開口部６２ｏの対向端部にはその一端部に挿入側孔６３と出口側孔６４とを設けて、係止板状体６５を挿入側孔６３から出口側孔６４へと挿入する。挿入側孔６３の厚さ及び幅は、出口側孔６４の厚さ及び幅より小さい。従って、図示のように、支柱１に抱持枠６２を外嵌させた状態で、係止板状体６５を挿入することによって、固定金具１１を支柱１に固定することができる。係止板状体６５は、平面視細長方形状で、先端部６５ａを少し湾曲又は折曲させ、後端部６５ｂを先端部６５ａと逆側にほぼ直角に折曲させ、その後端部６５ｂの折曲部を打着部としている。
【００５４】
また、この固定金具１１では、金具本体６１の基端部６１ａの内側面側に上下方向の楔溝６６を設けて、これに楔体６７を着脱自在に取り付けることにより、係止板状体６５の抜け止め部としている。楔体６７は、係止板状体６５を孔６３，６４に挿通させた後は係止板状体６５を交換する場合以外は通常は固定したままである。係止板状体６５は、一面が楔体６７に載ることによって、先端部６５ａの折曲部分が挿入側孔６３のみからは脱出できなくなり、従って係止板状体６５は金具本体６１から抜け落ちることがない。
【００５５】
図１２〜図１５で説明した支保工の仮設時に使用される先行手摺り５０の実施形態は、支柱１に一定間隔おきに設けたフランジ３及び支柱１を利用して取り付ける場合について説明したが、この先行手摺り５０は、一定間隔おきに複数個ずつポケット４ａ〜４ｄが設けられた支柱１の場合にもそのポケット４ａ〜４ｄ及び支柱１を利用して取り付けることができるものである。
【００５６】
また、図１２〜図１５で説明した支保工の仮設時に使用される先行手摺り５０の実施形態では、各斜材９の下端部の固定金具１１が、図１３の(c) に示すように上段側作業床レベルにあるフランジ３より下方で支柱１に固定されるようになっているが、この固定金具１１は、図１〜図１０によって説明した実施形態と同様に、仮設される足場板６と同レベルのフランジ３の外側孔２ｃ又は２ｄ、あるいは仮設される仮設される足場板６と同レベルにある複数のポケット４ａ〜４ｄの外側ポケット４ｃ又は４ｄに緊結固定されるような構成としてもよい。
【００５７】
また、図１２〜図１５で説明した実施形態のように先行手摺り５０の固定金具１１が、仮設される足場板６と同レベルにあるフランジ３又はポケット４ａ〜４ｄよりも下方又は上方で支柱１に固定されるとする構成は、図１〜図１０によって説明した足場仮設時に使用される先行手摺り７，４０の場合にも適用できるものである。
【符号の説明】
【００５８】
１            支柱
２ａ〜２ｄ    フランジ孔
３            フランジ
４ａ〜４ｄ    ポケット
５            布材
６            足場板
７            先行手摺り
８            水平材
９            斜材
１０          係止部材
１１          固定金具
１５          コ字枠
１６          楔
１７，１８    楔孔
４０          先行手摺り
４１          朝顔装置
【図１】
2012132157.tif 000003
【図２】
2012132157.tif 000004
【図３】
2012132157.tif 000005
【図４】
2012132157.tif 000006
【図５】
2012132157.tif 000007
【図６】
2012132157.tif 000008
【図７】
2012132157.tif 000009
【図８】
2012132157.tif 000010
【図９】
2012132157.tif 000011
【図１０】
2012132157.tif 000012
【図１１】
2012132157.tif 000013
【図１２】
2012132157.tif 000014
【図１３】
2012132157.tif 000015
【図１４】
2012132157.tif 000016
【図１５】
2012132157.tif 000017